(57)【要約】【課題】便座本体から導出され、便座設置部内の制御部に接続される配線コードによる便座設置部内の機器への干渉を防ぐ、配線コードの固定構造及びこれを用いた洋風便器装置並びにこれに使用する絶縁樹脂シートを提供する。【解決手段】便座設置部３０に回動自在に支持される便座本体３４に内設される電気機器に関連して、該便座本体から導出され、該便座設置部内の制御部３２ｅに接続される配線コード２０を、挟持するようにして、折り返した絶縁樹脂シート１０を、該便座設置部内に固着させた構成としている。【選択図】図１
2008093312.tif 000002
【特許請求の範囲】
【請求項１】
便座設置部に回動自在に支持される便座本体に内設される電気機器に関連して、該便座本体から導出され、該便座設置部内の制御部に接続される配線コードを、挟持するようにして、折り返した絶縁樹脂シートを、該便座設置部内に固着させたことを特徴とする配線コードの固定構造。
【請求項２】
請求項１において、
前記絶縁樹脂シートは、折り返された際に、前記配線コードを導出する配線コード導出口を形成する切り込み部が形設されていることを特徴とする配線コードの固定構造。
【請求項３】
請求項１又は２において、
前記絶縁樹脂シートは、前記便座設置部内に配設された回路基板の表面を覆うようにして該便座設置部内に固着されることを特徴とする配線コードの固定構造。
【請求項４】
請求項１乃至３のいずれか１項において、
前記配線コードは、前記便座本体の回動支点から導出されるものであることを特徴とする配線コードの固定構造。
【請求項５】
請求項１乃至４のいずれか１項に記載の配線コードの固定構造を用いた洋風便器装置。
【請求項６】
請求項１乃至４のいずれか１項に記載の配線コードの固定構造において使用する絶縁樹脂シート。
【発明の詳細な説明】
【技術分野】
【０００１】
本発明は、配線コードの固定構造及びこれを用いた洋風便器装置並びにこれに使用する絶縁樹脂シートに関し、詳しくは、便座本体から導出される配線コードを絶縁樹脂シートを使用し、便座設置部内に固定する構造及びこれを用いた洋風便器装置並びにこれに使用する絶縁樹脂シートに関するものである。
【背景技術】
【０００２】
近時において、洋風便器装置は、種々の機能を備えたものが提供されており、例えば、便座本体の着座面を暖房する機能を備えたものが知られている。
このような暖房機能を備えたものでは、便座本体に内設されるヒーターやサーミスタなどの電気機器に関連して、便座本体から導出され、便座本体を枢支する便座設置部内の制御部に接続される配線コードが、便座本体と便座設置部との間に介在している。
便座本体は、立姿にて使用する場合や清掃等の際に開閉されるものであるが、前記した配線コードも、便座本体の開閉動作に従って、姿勢変形、揺動可能な構成とされている。
【０００３】
例えば、特許文献１では、このような暖房機能を備えた暖房便座が提案されている。該特許文献１では、便座本体の側部から導出された配線コードを、暖房便座装置の制御部や各種装置等を収納したケーシング（便座設置部）の側部に接続しており、ケーシングへの配線コードの接続は、図６に示すように、ケーシング１に、配線コード２の周面に設けたブッシュ３が固定される固定座４を設け、接続固定される構成とされている。また、ブッシュ３の固定フランジ３ａの端面には配線コード２の軸線方向に突き出る平板状の補助ブロック５が形成されており、補助ブロック５の上端に、固定座４への嵌合方向を規制するストッパ６が図示のように形成されている。
【特許文献１】実公平７−１０６４０号公報
【発明の開示】
【発明が解決しようとする課題】
【０００４】
特許文献１では、前記のような構成とすることで、配線コードをケーシングの側部に固着し、規制しているが、このものでは、配線コードが、便座本体の側部とケーシングの側部とに、それぞれ固着されているので、便座本体の開閉動作をスムーズに行うため、また配線コードの断線を防ぐために、便器本体外部に露出する配線コードを長くする必要があり、デザイン上好ましくないものであった。
便器本体外部に露出する配線コードを短くするには、便座本体の開閉動作に従って姿勢変形、揺動する配線コードを、便座設置部の側部に固着させずに、便座設置部内で姿勢変形、揺動可能、すなわち、便座本体の開閉動作に従って便座設置部から配線コードが導出入可能となるように便座設置部内に固定保持することが考えられるが、前記したように便座設置部内には、各種装置や制御部などの機器が収納されており、便座設置部内に姿勢変形、揺動可能に配線コードを固定保持すると、便座本体の開閉動作に従って姿勢変形、揺動する配線コードが便座設置部内の機器に干渉する恐れがあった。
【０００５】
本発明は、前記問題を解決するために提案されたもので、便座本体から導出され、便座設置部内の制御部に接続される配線コードによる便座設置部内の機器への干渉を防ぐ、配線コードの固定構造及びこれを用いた洋風便器装置並びにこれに使用する絶縁樹脂シートを提供することにある。
【課題を解決するための手段】
【０００６】
前記目的を達成するために、請求項１に記載の配線コードの固定構造は、便座設置部に回動自在に支持される便座本体に内設される電気機器に関連して、該便座本体から導出され、該便座設置部内の制御部に接続される配線コードを、挟持するようにして、折り返した絶縁樹脂シートを、該便座設置部内に固着させたことを特徴とする。
【０００７】
請求項２では、請求項１において、前記絶縁樹脂シートは、折り返された際に、前記配線コードを導出する配線コード導出口を形成する切り込み部が形設されていることを特徴とする。
【０００８】
請求項３では、請求項１又は２において、前記絶縁樹脂シートは、前記便座設置部内に配設された回路基板の表面を覆うようにして該便座設置部内に固着されることを特徴とする。
【０００９】
請求項４では、請求項１乃至３のいずれか１項において、前記配線コードは、前記便座本体の回動支点から導出されるものであることを特徴とする。
【００１０】
請求項５に記載の洋風便器装置は、請求項１乃至４のいずれか１項に記載の配線コードの固定構造を用いたものである。
【００１１】
請求項６に記載の絶縁樹脂シートは、請求項１乃至４のいずれか１項に記載の配線コードの固定構造において使用するものである。
【発明の効果】
【００１２】
請求項１乃至４に記載の配線コードの固定構造によれば、配線コードを、挟持するようにして、折り返した絶縁樹脂シートを、便座設置部内に固着させているので、便座本体の開閉動作に従って、便座設置部内で姿勢変形、揺動する配線コードによる便座設置部内の機器への干渉を防ぐことができる。
【００１３】
請求項２では、絶縁樹脂シートには、折り返された際に配線コードを導出する配線コード導出口を形成する切り込み部を形設しているので、配線コード導出口を略中心として配線コードの姿勢変形、揺動を規制することができ、単に絶縁樹脂シートを折り返して、その間に配線コードを挟持するものと比し、配線コードの姿勢変形、揺動に対して柔軟に対応できるものとなる。
【００１４】
請求項３では、絶縁樹脂シートを、便座設置部内に配設された回路基板の表面を覆うようにして便座設置部内に固着しているので、絶縁樹脂シートを回路基板の保護にも兼用でき、部品点数の削減が可能となる。
【００１５】
請求項４では、配線コードを便座本体の回動支点から導出されるものとしているので、便座本体の側部等から導出されるものと比し、便座設置部内での配線コードの姿勢変形、揺動が、少なく、絶縁樹脂シートを小さく形成することが可能となる。
【００１６】
請求項５に記載の洋風便器装置によれば、便座設置部に回動自在に支持される便座本体に内設される電気機器に関連して、便座本体から導出され、便座設置部内の制御部に接続される配線コードを、挟持するようにして、折り返した絶縁樹脂シートを、便座設置部内に固着させているので、便座本体の開閉動作に従って、便座設置部内で姿勢変形、揺動する配線コードによる便座設置部内の機器への干渉を防ぐことができるものとなる。
【００１７】
請求項６に記載の絶縁樹脂シートによれば、便座設置部に回動自在に支持される便座本体に内設される電気機器に関連して、便座本体から導出され、便座設置部内の制御部に接続される配線コードを、挟持するようにして、折り返して、便座設置部内に固着されて使用されるので、便座本体の開閉動作に従って、便座設置部内で姿勢変形、揺動する配線コードによる便座設置部内の機器への干渉を防ぐことができるものとなる。
【発明を実施するための最良の形態】
【００１８】
以下に、本発明の実施の形態について、図面を参照しながら説明する。
図１乃至図５は、本実施形態に係る配線コードの固定構造及びこれを用いた洋風便器装置並びにこれに使用する絶縁樹脂シートを示し、図１は、本実施形態の絶縁樹脂シート及び便座本体の実施形態の一例を示す概略裏面図、図２（ａ）乃至（ｆ）は、絶縁樹脂シートを用いた配線コードの取付要領とその固定構造を説明する図、図３は、配線コードの固定構造を用いて配線コードを便座設置部内に固定した状態を示す概略裏面図、図４は、洋風便器装置の要部分解斜視図、図５は、洋風便器装置の概略斜視図である。
【００１９】
図５に示す洋風便器装置Ａでは、便器本体の後部に水洗タンクを備えていない、水道配管直結方式、いわゆるタンクレスタイプのものを図示しているが、水洗タンクを備えたものにも本発明の適用が可能であり、また、便蓋・便座設置部３０は、便器本体と一体的に組み付けられるものを図示しているが、後付けあるいはオプションとして取付けられる、いわゆる暖房機能付の温水洗浄便座装置にも本発明の適用が可能である。
【００２０】
洋風便器装置Ａは、図４及び図５に示すように、ボウル部３６と、ボウル部３６の上端に周設されたリム部３７と、ボウル部３６の外周に形設されたスカート部３８と、後述する各種装置や制御部３２ｅを内蔵する便蓋・便座設置部３０と、便蓋・便座設置部３０に回動自在に支持された便座本体３４及び便蓋３５と、スカート部３８の後方にボウル部３６からの汚物や水洗用水を排出する際に作動させるトラップ部（不図示）などを内包するサイドカバー３９を備えている。
【００２１】
便蓋・便座設置部３０は、下ケース３３と、下ケース３３に結合される上ケース３１と、下ケース３３及び上ケース３１に配設され、各種装置や制御部３２ｅから構成される装置ユニット３２とで構成されている。
装置ユニット３２は、人体の局部を洗浄するおしり洗浄ノズルやビデ洗浄ノズルを備えた局部洗浄装置３２ａ、人体の局部を乾燥する乾燥装置３２ｂ、ボウル部３６内の空気を脱臭する脱臭装置３２ｃ、リム部３７への水洗用水を給水する給水ユニット３２ｄ、各種装置の作動状態を表示するＬＥＤ３２ｆ、人体の在、不在を検知する人体検知センサ３２ｇ、着座を検知する着座センサ３２ｈ、トイレ室内に配設された各種装置の操作スイッチを備えるリモコン（不図示）との各種信号の送受信を無線により可能にする赤外線センサ３２ｉ、後述する配線コード２０が接続され、便座本体３４に内設された便座の暖房機能を構成するヒーター（不図示）や便座の温度を検知するサーミスタ（不図示）及び前記各種装置などを制御する制御部３２ｅなどから構成されている。
【００２２】
上ケース３１は、便座枢軸３４ａと上ケース軸受け部３１ａ、便座軸受け部３４ｂと上ケース枢軸３１ｂとをそれぞれ枢着して便座本体３４を回動自在に支持し、便蓋軸受け部３５ａと上ケース枢軸３１ｃ、便蓋軸受け部３５ｂと上ケース枢軸３１ｄとをそれぞれ枢着して便蓋３５を回動自在に支持している（図１も参照）。
また、便座本体３４及び便蓋３５は、それぞれ上ケース３１、すなわち便蓋・便座設置部３０から清掃等の際に着脱可能に構成され、便座軸受け部３４ｂ、便蓋軸受け部３５ｂには、上ケース枢軸３１ｂ、３１ｄとの枢着を規制・解除するロック機構（不図示）が備えられている。
【００２３】
前記のように構成された洋風便器装置Ａでは、人体検知センサ３２ｇが、人体の在、すなわち、トイレ室内への使用者の入室を検知すると、便座本体３４に内設されているヒーターを作動し、サーミスタからの検知温度信号に基づいてヒーターへの通電制御を行い、便座の温度調整を行う。
着座センサ３２ｈが、着座を検知すると脱臭装置３２ｅを作動し、ボウル部３６内に臨む吸気口からボウル部３６内の空気を吸い込み脱臭する。
使用者がリモコンの局部洗浄装置作動ボタンを押下げると、局部洗浄装置３２ａを作動し、リム部３７後方側壁に開口しボウル部３６内に臨むノズル出入口３７ａから作動ボタンに応じたノズルを突き出し、洗浄水を噴出させる。
また、使用者がリモコンの乾燥装置作動ボタンを押下げると、乾燥装置３２ｂを作動し、リム部３７後方側壁に開口しボウル部３６内に臨む温風吐出口３７ｂからボウル部３６内へ加熱手段（不図示）で加熱された温風を吐出し、人体の局部を乾燥する構成としている。
人体検知センサ３２ｇが人体の不在を検知すると、脱臭装置３２ｃの作動を停止し、給水ユニット３２ｄ、トラップ部を作動し、リム部３７への給水を行い、ボウル部３６に排泄された汚物の排出を行う。
尚、暖房機器、局部洗浄装置３２ａ、乾燥装置３２ｂ、脱臭装置３２ｃなどの各種装置や各種センサの具体的構成は省略するが、公知のものが適用可能である。
【００２４】
次に、本実施形態の絶縁樹脂シート１０、配線コード２０を図１に基づいて詳述する。
配線コード２０は、便座本体３４の便蓋・便座設置部３０に枢着される回動支点、すなわち、中空に形成された便座枢軸３４ａから導出されており、便座本体３４に内設されているヒーター、例えば電熱線、ランプヒーターなどと接続されるヒーター用配線２１、２１と、便座本体３４に内設され、便座の温度を検知するサーミスタに接続されるサーミスタ用配線２２、２２と、便座本体３４内の電気機器をアースするアース線２３とで構成されている。
これら配線コード２１、２２、２３は、結束筒２５と、結束筒２５の便座本体３４側に連結され、可撓性部材で構成されたコルゲートチューブ２６とに内装されており、結束筒２５とコルゲートチューブ２６との間からは、便座本体３４内に一端が固着され、清掃等の際の便座本体３４の着脱の際に、各配線コード２１、２２、２３等の制御部３２ｅからの抜脱を防止する抜脱防止ワイヤ２４が導出されている。
抜脱防止ワイヤ２４の長さは、後述する仮留め突起１１ｃに他端が固着された状態で、便座本体３４を上ケース３１から脱離させた際に、配線コード２０が上ケース軸受け部３１ａからコルゲートチューブ２６の長さ以上に露出しないような長さとされている。
尚、配線コード２０の構成は、前記で例示したものに限らず、便座本体３４に内設される暖房機器や電気機器に応じて構成される。また、配線コード２０の導出を便座本体３４の回動支点とせず、便座本体３４の裏面や側部などから導出させる構成としてもよい。
【００２５】
絶縁樹脂シート１０は、可撓性樹脂材、例えば、ＰＥＴ（ポリエチレンテレンテレフタレート）などから構成され、図１に示すように、略矩形状に形成されており、その上辺中央左寄りから略中央に向けて切り込み部１４が形設され、その左辺略中央に後述する配線コード２０の固定の際に、折り返しを容易にする凹み部１５が形設され、上ケース３１への固着の際に、後述する仮留め突起１１ｃや各ネジを挿通する挿通孔１１ａ、１１ｄ、１２ａ、１３ａ、１３ｄが適所に開設されている。
【００２６】
切り込み部１４は、上辺中央左寄りの切り込み始点１４ｆから分岐点１４ａ直前まで略真っ直ぐに切り込まれ、分岐点１４ａから以遠、すなわち絶縁樹脂シート１０の中央側は、切り込み第１終点１４ｂから切り込み第２終点まで逆Ｓ字を描くように切り込まれて形設されており、この逆Ｓ字を描くように切り込まれた部分が配線コード導出口１４ｇを構成し、また、この逆Ｓ字により配線コード押え片１４ｄ、１４ｅが形成されている。
尚、絶縁樹脂シート１０は、可撓性のものに限らず、折り返して配線コード２０を挟持可能なものであればどのようなものでもよく、また、その形状も略矩形状に限らず、その切り込み部１４の形状も前記したものに限られず、さらに、切り込み部１４を形設しない構成としてもよい。
また、前記では説明を容易とするために、絶縁樹脂シート１０の上辺、左寄り、左辺は、図１における紙面上の方向を指して説明している。
【００２７】
次に、前記のような構成とされた絶縁樹脂シート１０を用いた配線コード２０の固定構造を図２及び図３に基づいて詳述する。
まず、図２（ａ）に示すように、絶縁樹脂シート１０でＬＥＤ基板３２ｆａ及び人体検知センサ基板３２ｇａの表面を覆うようにして、絶縁樹脂シート１０の仮留め突起第１挿通孔１１ａを、上ケース３１から突設され、ネジ切された仮留め突起１１ｃに挿通させる。次いで、上ケース３１に穿設されたネジ穴１２ｃ（図１参照）と、ネジ挿通孔１２ａとを重合させてネジ１２ｂを螺入し、上ケース３１に絶縁樹脂シート１０を仮固着させる。
次に、図２（ｂ）、（ｃ）に示すように、上ケース３１側壁に開口した上ケース軸受け部３１ａから配線コード２０を導入し、切り込み部１４に配線コード２０を挟入させる。
【００２８】
次いで、図２（ｄ）、（ｅ）、（ｆ）に示すように、絶縁樹脂シート１０の自由端（紙面左側）を、切り込み部１４線上に沿って折り返し、仮留め突起第２挿通孔１１ｄを仮留め突起１１ｃに挿通させ、上ケース３１に穿設されたネジ穴１３ｃ（図１参照）と、ネジ挿通孔１３ａ及び１３ｄとを重合させ、ネジ１３ｂを螺入する。次いで、仮留め突起１１ｃのネジ切穴と抜脱防止ワイヤ２４先端のネジ挿通孔２４ａとを重合させてネジ１１ｂを螺入し、上ケース３１に、絶縁樹脂シート１０を、絶縁樹脂シート１０に挟持された配線コード２０とともに固着させる。
この状態で、配線コード導出口１４ｇから配線コード２０が導出した状態となり、配線コード２０が上ケース３１内に固定される。
尚、前記したように、絶縁樹脂シート１０には、凹み部１５を形設しているので、折り返しを容易にできる、すなわち、絶縁樹脂シート１０の復元反力を、凹み部１５により低減できるので、容易に折り返すことができる。
また、配線コード導出口１４ｇから導出された配線コード２０は、切り込み部１４に形成された、配線コード押え片１４ｄ、１４ｅの復元反力で、その姿勢変形、揺動が規制される。
【００２９】
前記のように配線コード２０を絶縁樹脂シート１０で挟持するようにして固定した後に、便座本体３４を、上ケース３１に枢着する場合は、配線コード２０を、更に、上ケース３１内に導入し、上ケース軸受け部３１ａに便座枢軸３４ａを嵌め込み、便座受け部３４ｂのロック機構を解除し、上ケース枢軸３１ｂと便座受け部３４ｂとを枢着させることによりなされ、図３に示すように、上ケース３１に便座本体３４が回動自在に支持される。
また、このように上ケース３１内に固定された各配線コード２１、２２、２３を制御部３２ｅの適所に接続して、便座本体３４の各電気機器への通電・制御がなされる。
【００３０】
前記のような配線コード２０の固定構造、絶縁樹脂シート１０の構成、洋風便器装置Ａによれば、便座本体３４の開閉動作に従って、便蓋・便座設置部３０内で姿勢変形、揺動する配線コード２０による便蓋・便座設置部３０内の各種機器や各種基板への干渉を防ぐことができる。
また、絶縁樹脂シート１０には、折り返された際に配線コード２０を導出する配線コード導出口１４ｇを形成する切り込み部１４を形設しているので、配線コード導出口１４ｇを略中心として配線コード２０の姿勢変形、揺動を規制することができ、単に絶縁樹脂シートを折り返して、その間に配線コード２０を挟持するものと比し、配線コード２０の姿勢変形、揺動に対して柔軟に対応できるものとなる。
すなわち、配線コード２０は、便座本体３４が開閉作動すると、それに従い便座枢軸３４ａ近傍では、その周方向に回動し、絶縁樹脂シート１０に挟持された部分は、絶縁樹脂シート１０の配線コード導出口１４ｇから折り返された部分に沿って、捩れや長手方向へ摺動するが、絶縁樹脂シート１０により、その姿勢変形、揺動を規制することができる。
また、本実施形態のように、便座本体３４を便蓋・便座設置部３０から清掃等の際に着脱可能な構成としているものでは、便座本体３４の着脱に伴う、配線コード２０による便蓋・便座設置部３０内の各種機器や各種基板への干渉も防ぐことができる。
【００３１】
さらに、絶縁樹脂シート１０を、便蓋・便座設置部３０内に配設されたＬＥＤ基板３２ｆａ、人体検知センサ基板３２ｇａの表面を覆うようにして便蓋・便座設置部３０内に固着しているので、絶縁樹脂シート１０をＬＥＤ基板３２ｆａ、人体検知センサ基板３２ｇａの保護にも兼用でき、部品点数の削減が可能となる。
さらにまた、配線コード２０を便座本体３４の回動支点、すなわち便座枢軸３４ａから導出されるものとしているので、便座本体３４の側部等から導出されるものと比し、便蓋・便座設置部３０内での配線コード２０の姿勢変形、揺動が、少なく、絶縁樹脂シート１０を小さく形成することが可能となるとともに、通常の使用状態においては、便器外部へ配線コード２０が露出されないので、デザイン上も好ましいものとなる。
【００３２】
尚、本実施形態では、絶縁樹脂シート１０を一箇所に設けたものを例示しているが、２箇所以上に設けてもよく、また、絶縁樹脂シート１０により表面が覆われる回路基板の種類や場所も前記したものに限られない。
【図面の簡単な説明】
【００３３】
【図１】本発明に係る絶縁樹脂シート及び便座本体の実施形態の一例を示す概略裏面図である。
【図２】（ａ）乃至（ｆ）は、絶縁樹脂シートを用いた配線コードの取付要領とその固定構造を説明する図である。
【図３】本発明に係る配線コードの固定構造を用いて配線コードを便座設置部内に固定した状態を示す概略裏面図である。
【図４】本発明に係る洋風便器装置の要部分解斜視図である。
【図５】本発明に係る洋風便器装置の概略斜視図である。
【図６】従来の配線コードの固定構造を示す説明図である。
【符号の説明】
【００３４】
１０      絶縁樹脂シート
１４      切り込み部
１４ｇ      配線コード導出口
２０      配線コード
３０      便蓋・便座設置部（便座設置部）
３２ｅ      制御部
３２ｆａ      ＬＥＤ基板（回路基板）
３２ｇａ      人体検知センサ基板（回路基板）
３４      便座本体
３４ａ      便座枢軸（回動支点）
Ａ      洋風便器装置
【図１】
2008093312.tif 000003
【図２】
2008093312.tif 000004
【図３】
2008093312.tif 000005
【図４】
2008093312.tif 000006
【図５】
2008093312.tif 000007
【図６】
2008093312.tif 000008